【事件の表示】
　平成１１年特許願第１９７６１２号「機器の外装構造」拒絶査定不服審判事件〔平成１３年１月２６日出願公開、特開２００１−２１９７５〕について、次のとおり審決する。
【結　論】
　本件審判の請求は、成り立たない。
【理　由】
１　手続の経緯及び本願発明
　本願は、平成１１年７月１２日に出願された特願平１１−１９７６１２号の特許出願であって、原審における平成１８年１２月１３日付の拒絶理由通知に対し、平成１９年２月２３日付の意見書とともに同日付の手続補正書が提出されたところ、前記拒絶理由により平成１９年１０月３日付で拒絶査定がなされ、これに対し、平成１９年１０月２９日に拒絶査定不服審判の請求がなされたものである。
　したがって、当審の審理の対象とすべき本願発明は、平成１９年２月２３日付の手続補正により補正された明細書の特許請求の範囲の請求項１ないし請求項８に記載された事項により特定されるとおりのものであるところ、特にその請求項１に係る発明は、次のとおりのものである。（以下、これを「
本願発明１
「【請求項１】
　金属をプレス加工して所定形状に形成され、所定位置に窓枠が形成された金属製の外装カバーと、樹脂で所定形状に形成され、外周部に前記外装カバーが装着されて、該外装カバーの内側に配置されるインナーキャビネットと、からなる機器の外装構造において、
　前記インナーキャビネットを透明な樹脂で成形するとともに、前記外装カバーを装着することにより、該外装カバーに形成された前記窓枠に嵌め込められて窓となる窓部を前記透明なインナーキャビネットに一体成形することを特徴とする機器の外装構造。」
　
２　引用刊行物及びその記載事項
（１）原審における拒絶査定の理由に引用された、本願の特許出願前に頒布された刊行物である特開平７−４３８１０号公報（以下、「
引用刊行物１
「【請求項１】　カメラの外装カバーとして金属カバーを使用し、前記金属カバーの内側に略同形状のモールドカバーを設け、前記モールドカバーに鏡筒の突出部を覆う外観部と、ストラップ通し部と、レリーズボタン等の外部操作部材の保持部と、を一体的に設けたことを特徴とするカメラの外装構造。
　【請求項２】　カメラの外装カバーとして金属カバーを使用し、前記金属カバーの内側に略同形状のモールドカバーを設け、カメラの外観部品であるところの窓部品を前記金属カバーと前記モールドカバーとの間にはさんで保持したことを特徴とするカメラの外装構造。」
「【０００１】【産業上の利用分野】　本発明はカメラの外観部品の材料として金属（例えばアルミ）を使用したカメラ外装構造に関するものである。
　【０００２】【従来の技術】　最近、カメラの外観部品はモールド（合成樹脂の射出成形品。以下にはモールドと略記する。）化され、カメラの軽量化とデザイン自由度の増大に貢献している。モールド化された外装カバーは、鏡筒の突出部分やストラップ通し部や、押しボタン類のガイド部などの複雑な形状を一体成形品で構成できると共に、前カバーと後カバーの合わせ部インローや引掛け爪をも一体成形できる為、カバー同志の合わせが簡単にできる。又、図６に示すように、ＡＦ投受光窓やストロボ窓などの外観用別部品１０１は、カバー１００に対して接着により取付けすることが可能である。」
「【０００８】【課題を解決するための手段】　本発明によるカメラ外装構造においては、カメラの外装カバーとして金属カバーを使用し、前記金属カバーの内側に略同形状のモールドカバーを設け、そのモールドカバーには、鏡筒の突出部を覆う外観部と、ストラップ通し部と、レリーズボタン等の外部操作部材の保持部と、を一体的に設けたことを特徴とするものである。又、外観部品であるところの窓部品を金属カバーと内側のモールドカバーとの間にはさんで保持することを特徴とするものである。
　【０００９】　本発明によるカメラ外装構造においては、表面が金属製カバーで、その内側には合成樹脂の射出成型品であるモールドカバーが設けられているので、高級感のある外観と合理的で低コストの構造とを併せ持ったカメラを実現できる。
　【００１０】【実施例】　以下に、本発明の一実施例を図面に従って説明する。
　【００１１】　図１は、本発明による外装構造を備えたカメラの主な外装部品を示す分解斜視図である。図２は、前カバーと後カバーを組み合わせる引掛け爪部を表わしたカメラの縦断面図、図３は前カバーと後カバーの合わせ部インローを表わすカメラの縦断面図である。
　【００１２】　図４は本発明の外装構造を備えたカメラの上部に配置されているレリーズボタン及びズームボタンの組込み状態を示す断面図である。
　【００１３】　これらの図において、１はアルミを材料とするアルミカバー、２はモールドから成るインナー前カバーである。インナー前カバー２は、鏡筒の突出部を覆う外観部２ａと、同じく外観部となる底面カバー部２ｂと、ストラップ通し部２ｃとを一体に有しており、鏡筒突出部２ａはアルミカバー１の穴１ａより突出し、ストラップ通し部２ｃはアルミカバー１の切欠き１ｂより露出している。
　【００１４】　なお、アルミカバー１は図示しない両面テープもしくは接着剤等によりインナー前カバー２に接着されて一体化されている。
　【００１５】　３はモールドから成る後カバーで、図１及び図２に示す様にインナー前カバー２に設けられた角穴２ｆの端部に係合する引掛け爪３ａを一体に有しており、又、インナー前カバー２の切欠き凹部２ｇにはまり込むインロー３ｂも一体に設けられている。一方、図３に示す様にインナー前カバー２の凸部２ｈは後カバー３の凹部３ｃにはまり込み、前述の引掛け爪３ａの作用と共に前・後カバーの結合を簡単かつ確実なものとすると同時に外観からの静圧力に対しても対抗できる構造としている。もちろん、これら前・後カバーによって機構部を内蔵する不図示のカメラ本体を覆い包んでいるものである。
　【００１６】　４は可視光カットフィルター材入りのＡＦ投受光窓で、ファインダー用窓穴４ｃと測光用窓穴４ｄを有し、それぞれ図示しない透明窓部材が取り付けられる。又、突出リブ４ｂは外観面４ａより段差を有して上部２ケ所と左右にそれぞれ１ケ所ずつ一体に設けられている。
　【００１７】　５はストロボ窓で、外観面５ａのちょうど裏面にはフレネルレンズが一体に設けられていて、非外観部５ｂは外観面５ａより段差を有して全周囲に設けられている。
　【００１８】　上記ＡＦ投受光窓４はアルミカバー１とインナー前カバー２が接着される以前にアルミカバー１の穴１ｃに対してＡＦ投受光窓４の外観部４ａが顔を出す様にはめ込まれ、また、同時にストロボ窓５も穴１ｄに対してストロボ窓５の外観部５ａが顔を出す様にはめ込まれる。その後、ＡＦ投受光窓４の突出リブ４ｂとストロボ窓５の非外観部５ｂとを図２に示すようにアルミカバー１とインナー前カバー２との間にはさみ込み、アルミカバー１とインナー前カバー２との接着によりＡＦ投受光窓４とストロボ窓５を保持している。」
「【００２１】　＜実施例２＞
　次に、本発明の第２の実施例を図５に示す。
　【００２２】　同図において、２１はアルミ材質とするアルミカバーで、２１ａは鏡筒付近が少量突出している鏡筒カバー部分であり、該部分２１ａは突出量が小さいのでカバー２１にプレス加工によって一体成形されている。２２はモールドから成るインナーカバーで、カメラの上部及び側面の一部に配置され、ストラップ通し部２２ｃが外観部として一体に成形されている。インナーカバー２２はアルミカバー２１の内側に接着されて一体化構成となり、また、後カバー２３との結合を確実なものとする為の前述の係止構造（引掛け爪２３ａが係合する角穴２２ｆ及びインロー２３ｂのはまり込む凹部２２ｇ及び凹部２３ｃにはまり込む凸部２２ｈ）を有している。又、第１実施例と同様にＡＦ投受光窓２４及びストロボ窓２５のはさみ込みが可能な構造であり、第１実施例で説明したレリーズボタンやズームボタンのガイド部（２２ｄと２２ｅ）も一体に設けられている。
　【００２３】【発明の効果】　以上説明した様に、本発明のカメラ外装構造では、カメラの外装カバーにアルミを使用し、そのアルミカバーの内側に略同形状のモールドカバーを設け、そのモールドカバーに鏡筒の突出部を覆う外観部と、ストラップ通し部と、レリーズボタン等の外部操作部材の保持部とを一体的に設けることによってアルミの剛性と堅牢性を増強し、高級感の有る外観仕上げが可能となる。更に、アルミだけでは加工困難な形状を内側に設けたモールドカバーに一体成形することで複雑な形状も一体に設けることができる。又、外観部品であるところの窓部品をアルミカバーと内側のモールドカバーとの間にはさんで保持することにより、外部からの大きな静圧力に対して耐えられる構造にすると同時に接着作業を大幅に簡略化でき、全金属製の外装構造よりも大幅に製造コストを下げることが可能となる。」
　　
　そうしてみると、引用刊行物１の上記摘記事項及び図面の図示からみて、前記引用刊行物１には、次の発明（以下、「
引用発明１
「カメラの外装カバーとしてのプレス加工によって一体成形されているアルミカバー１と合成樹脂の射出成形体であるモールドとから成るカメラの外装構造であって、
　前記モールドが、鏡筒の突出部を覆う外観部２ａ等を一体に有するインナー前カバー２と後カバー３とからなり、前記インナー前カバー２がアルミカバー１の内側に接着されて一体化構成となって、インナー前カバー２と後カバー３によって機構部を内蔵するカメラ本体を覆い包むようにされているカメラの外装構造において、
　アルミカバー１の内側に設けられる略同形状のモールドカバーである前記インナー前カバー２の鏡筒突出部の外観部２ａが、アルミカバー１の穴１ａより突出し、
　また、窓部品のＡＦ投受光窓４は透明窓部材を一体に有し、窓部品のストロボ窓５もフレネルレンズを一体に有し、アルミカバー１の穴１ｃ、１ｄに対してそれぞれＡＦ投受光窓４の外観部４ａ及びストロボ窓５の外観部５ａが顔を出す様にはめ込まれた後、ＡＦ投受光窓４の突出リブ４ｂとストロボ窓５の非外観部５ｂとをアルミカバー１とインナー前カバー２との間にはさみ込み、アルミカバー１とインナー前カバー２との接着によりＡＦ投受光窓４とストロボ窓５を保持するようにした、カメラの外装構造」
　
（２）原審における拒絶査定の理由に引用された、本願の特許出願前に頒布された刊行物である特開平１１−３８４９０号公報（以下、「
引用刊行物２
「【０００８】　本発明の他の態様によれば、電子撮像手段を備えたカメラにおいて、前記カメラの外装体を光透過性樹脂によって形成し、前記カメラ内に設けた発光手段と対向する前記外装体の肉厚を他の部分の肉厚よりも薄く形成したことを特徴としている。これにより、外装体にライトガイド等を設けることなく、発光素子から発光される光を外装体を介して確認することができ、特に発光手段と対向する部分の外装体の肉厚を他の部分の肉厚よりも薄く形成したため、外装体の強度を低下させることなく透過光量を確保することができ、また外装体の表面から表示部であることが識別できる。
　【０００９】　本発明の更に他の態様によれば、電子撮像手段を備えたカメラにおいて、前記カメラの外装体を光透過性樹脂によって形成し、前記カメラ内に設けた複数の発光素子から発光される光を前記外装体を介して確認可能にし、該複数の発光素子の発光によりカメラ状態を表示することを特徴としている。これにより、外装体にライトガイド等を設けることなく、複数の発光素子から発光される光を外装体を介して確認することができ、また複数の発光素子の発光によりカメラ状態（例えば、記録開始から完了までの状態等）を表示することができるようにしている。」
「【００１１】　これらの図面に示すように、このカメラは、主として外装体（フロントキャビ１０、リアキャビ２０）と、レンズ／ファインダユニット３０と、ストロボユニット４０と、記録メディア基板５０と、メイン基板５２と、液晶ユニット６０とから構成されている。
　フロントキャビ１０及びリアキャビ２０は、それぞれ光透過性樹脂によって透過性をもって形成されている。尚、光透過性樹脂は、無色透明に限らず、半透明あるいは薄く着色されていてもよく、要はカメラ内部が透視できるものであれば、如何なるものでもよい。
　【００１２】　図４乃至図７はそれぞれフロントキャビ１０の正面図、背面図、右側面図及び底面図である。このフロントキャビ１０の前面には、図４及び図６に示すようにレンズの保護カバー１１及びグリップラバー１２が貼り付けられている。
　フロントキャビ１０の内側には、図５及び図６に示すようにファインダーカバー１３を介してファインダーフード１４が溶着され、また、アイリス切替えレバー１５がフロントキャビ１０に落とし込まれ、その上からガイド部材１６が溶着され、更にライトガイド１７及び電池ホルダ１８が溶着されている。
　【００１３】　ライトガイド１７は、被写体からの光をストロボ調光センサに導くもので、円柱状の突起部１７Ａがフロントキャビ１０の孔に嵌入される。
　電池ホルダ１８は、フロントキャビ１０との間で電池のハウジングを構成している。この電池のハウジングを構成するフロントキャビ１０の一部は、図７に示すように電池をガイドするとともに、ハウジングを強化するためにリブ１０Ａが形成されているが、このリブ１０Ａ又はフロントキャビ１０に形成されているその他のリブやボス等は、フロントキャビ１０を通して見ることができ、カメラの内部デザインとしても機能する。また、フロントキャビ１０の底面には、電池蓋１９が支軸１９Ａによって開閉自在に配設されているが、この電池蓋１９もフロントキャビ１０と同一の光透過性樹脂によって形成されている。
　【００１４】　図８乃至図１２はそれぞれリアキャビ２０の正面図、背面図、右側面図、左側面図、及び平面図である。これらの図面に示すように、このリアキャビ２０には、シャッタレリーズボタンの片持ち梁状のキートップ２１の一端が溶着されるとともに、カメラ内の状態を表示する発光ダイオード（図示せず）の光を導くライトガイド２２が溶着され、また、パワースイッチのツマミ２３がスライド自在に配設されている。このカメラは、記録媒体としてメモリカード（スマートメディア（ＳＳＦＤＣ））を使用しているが、リアキャビ２０には、メモリカードのカード挿入口を開閉するカードカバー２４が開閉自在に配設されている。このカードカバー２４は、リアキャビ２０と同一の光透過性樹脂によって形成されている。
　【００１５】　尚、２５は液晶ユニット６０（図３）のバックライト付き液晶表示器（ＬＣＤ）６１の表示部に対向する表示窓であり、２６Ａ〜２６Ｄは、それぞれ消去ボタン、モードボタン、ストロボボタン、実行ボタンが臨む開口であり、図８に示すようにこれらの開口２６Ａ〜２６Ｄの上部には、それぞれ対応する文字やマークが印刷されている。これらの文字やマークは、ＬＣＤ６１のバックライトの光が漏れてくる部位に印刷されているため、リアキャビ２０の内部から照明され、暗闇でも判読できるようになっている。
　【００１６】　レンズ／ファインダユニット３０は、レンズ３１、絞り機構及び撮像素子３２が設けられた鏡胴３３と、この鏡胴３３の上部に設けられた対物レンズ３４Ａ及び接眼レンズ３４Ｂからなるファインダ３４とから構成されている。尚、３２Ａは、大小の２つの絞り孔（図示せず）を切り替えるためのレバーであり、このレバー３２Ａは、フロントキャビ１０に設けられたアイリス切替えレバー１５と連結される。また、鏡胴３３は、フロントキャビ１０及びリアキャビ２０を介して入射した光が、鏡胴３３のサイドから入射することがないように遮光性をもって構成されている。
　【００１７】　ストロボユニット４０は、図２に示すようにストロボ基板５２と、放電管を備えたストロボ本体４４と、ストロボ本体４４をリトラクタブルに保持する収納部４６等から構成されている。尚、ストロボ本体４４の上面（収納時にフロントキャビ１０の上面と面一となる面）は、フロントキャビ１０と同一の光透過性樹脂で形成されている。また、収納部４６は遮光部材によって形成されている。
　【００１８】　さて、フロントキャビ１０には、図２に示すようにレンズ／ファインダユニット３０、ストロボユニット４０、記録メディア基板５０、メイン基板５２等が固定される。尚、図２上で、５３はブザー、５４は電池と接続される接片、５５はシャッタレリーズスイッチ、５６はメモリカードが装着されるカードコネクタである。
　【００１９】　一方、リアキャビ２０には、図３に示すように液晶ユニット６０等が固定される。この液晶ユニット６０の基板上には、前述したようにバックライト付きＬＣＤ６１が設けられるとともに、パワースイッチのツマミ２３のスライド動作に基づいてＯＮ／ＯＦＦされるパワースイッチや、消去ボタン、モードボタン、ストロボボタン、実行ボタンが設けられている。また、ストロボユニット４０のストロボ本体４４は、パワースイッチのツマミ２３のスライド動作に連動してポップアップする。
　【００２０】　そして、上記フロントキャビ１０とリアキャビ２０とを組み付けて固定することによりカメラの組み立てが完了する。・・・。」
「【００２６】　・・・。また、この実施の形態では、既存の金型を使用し、光透過性樹脂によってフロントキャビ１０及びリアキャビ２０を形成するようにしたため、レンズの保護カバー１１、ファインダーカバー１３及び発光ダイオードの光を導くライトガイド２２、ＬＣＤ６１の表示窓２５等を別途フロントキャビ１０及びリアキャビ２０に設けるようにしたが、これに限らず、透明な外装体専用の金型を使用すれば、外装体に設ける透明部材も一体形成することができ、部品点数や組立工数を低減することができる。」
「【００３１】【発明の効果】　以上説明したように本発明に係るカメラによれば、外装体を光透過性樹脂によって形成し、且つカメラの発光手段と該発光手段からの光が入射する外装体との間に遮光手段を設けるようにしたため、カメラとしての機能を維持しつつカメラ内部を透視することができ、カメラの堅いイメージを無くし、またカメラ内に装着された電池や記録媒体を外装体を介して確認することができる。更に、従来、不透明な外装体に設けられていた透明部材を外装体と一体形成することができ、部品点数や組立工数を低減することができる。」
　
３　当審の判断 
（１）対比 
　本願発明１と上記引用発明１とを対比する。
　まず、引用発明１の「カメラの外装カバーとしてのプレス加工によって一体成形されているアルミカバー１」は、鏡筒突出部の外観部２ａが突出するアルミカバー１の穴１ａ、並びに、ＡＦ投受光窓４の外観部４ａ及びストロボ窓５の外観部５ａが顔を出す様にはめ込まれるアルミカバー１の穴１ｃ、１ｄを有しており、前記「アルミカバー１の穴１ａ、穴１ｃ、１ｄ」が、本願発明１の「所定位置に形成された窓枠」に対応することは明らかであるから、引用発明１の前記「カメラの外装カバーとしてのプレス加工によって一体成形されているアルミカバー１」が、本願発明１の「金属をプレス加工して所定形状に形成され、所定位置に窓枠が形成された金属製の外装カバー」に相当する。
　また、引用発明１の「合成樹脂の射出成形体であるモールド」は、鏡筒の突出部を覆う外観部２ａ等を一体に有するインナー前カバー２と後カバー３とからなり、前記インナー前カバー２がアルミカバー１の内側に接着されて一体化構成となるものであるから、引用発明１の「合成樹脂の射出成形体であるモールド」が、本願発明１の「樹脂で所定形状に形成され、外周部に前記外装カバーが装着されて、該外装カバーの内側に配置されるインナーキャビネット」に相当する。
　さらに、引用発明１の「カメラの外装構造」が、本願発明１の「機器の外装構造」に相当する。
　そして、引用発明１の「窓部品のＡＦ投受光窓４は透明窓部材を一体に有し、窓部品のストロボ窓５もフレネルレンズを一体に有し、アルミカバー１の穴１ｃ、１ｄに対してそれぞれＡＦ投受光窓４の外観部４ａ及びストロボ窓５の外観部５ａが顔を出す様にはめ込まれた後、ＡＦ投受光窓４の突出リブ４ｂとストロボ窓５の非外観部５ｂとをアルミカバー１とインナー前カバー２との間にはさみ込み、アルミカバー１とインナー前カバー２との接着によりＡＦ投受光窓４とストロボ窓５を保持するようにした」構成と、本願発明１の「該外装カバーに形成された前記窓枠に嵌め込められて窓となる窓部を前記透明なインナーキャビネットに一体成形する」構成とは、ともに「該外装カバーに形成された前記窓枠に嵌め込められて窓となる窓部を設ける」点で共通する。
　
　そうすると、本願発明１と引用発明１の両者は、
「金属をプレス加工して所定形状に形成され、所定位置に窓枠が形成された金属製の外装カバーと、樹脂で所定形状に形成され、外周部に前記外装カバーが装着されて、該外装カバーの内側に配置されるインナーキャビネットと、からなる機器の外装構造において、
　前記インナーキャビネットを樹脂で成形するとともに、前記外装カバーを装着することにより、該外装カバーに形成された前記窓枠に嵌め込められて窓となる窓部を設けることを特徴とする機器の外装構造」
である点で一致し、次の点で両者の構成が相違する。
　
相違点１
　
相違点２
　
（２）相違点についての検討 
ア　相違点１について
　上記引用刊行物２の段落【００１１】に、「このカメラは、主として外装体（フロントキャビ１０、リアキャビ２０）と、レンズ／ファインダユニット３０と、ストロボユニット４０と、記録メディア基板５０と、メイン基板５２と、液晶ユニット６０とから構成されている。フロントキャビ１０及びリアキャビ２０は、それぞれ光透過性樹脂によって透過性をもって形成されている。」が記載されていることから、かかる引用刊行物２には、「カメラの外装体を光透過性樹脂によって形成したカメラ」が記載されているといえる。
　そうすると、カメラの外装体を光透過性樹脂によって形成することは、本願特許出願前の引用刊行物２に記載された技術であることが明らかである。
　さすれば、引用発明１のインナー前カバー２と後カバー３とからなり、合成樹脂の射出成形体であるモールドに対して、上記引用刊行物２に記載された「カメラの外装体を光透過性樹脂によって形成する」技術を適用することにより、前記相違点１に係る本願発明１の前記「インナーキャビネットを、透明な樹脂で成形する」構成とすることは、当業者が容易に想到できることである。
　
イ　相違点２について
　上記引用刊行物２の段落【００２６】に「また、この実施の形態では、既存の金型を使用し、光透過性樹脂によってフロントキャビ１０及びリアキャビ２０を形成するようにしたため、レンズの保護カバー１１、ファインダーカバー１３及び発光ダイオードの光を導くライトガイド２２、ＬＣＤ６１の表示窓２５等を別途フロントキャビ１０及びリアキャビ２０に設けるようにしたが、これに限らず、透明な外装体専用の金型を使用すれば、外装体に設ける透明部材も一体形成することができ、部品点数や組立工数を低減することができる。」が記載され、また、段落【００３１】にも「更に、従来、不透明な外装体に設けられていた透明部材を外装体と一体形成することができ、部品点数や組立工数を低減することができる。」が記載されている。
　上記引用刊行物２のかかる記載から、引用刊行物２には、「部品点数や組立工数を低減するために、透明な外装体専用の金型を使用することにより、レンズの保護カバー１１、ファインダーカバー１３及び発光ダイオードの光を導くライトガイド２２、ＬＣＤ６１の表示窓２５等の外装体に設ける透明部材を、光透過性樹脂からなる透明な外装体に一体形成する技術」が記載されているといえる。
　そして、引用刊行物２に記載の前記「部品点数や組立工数を低減するために、透明な外装体専用の金型を使用することにより、レンズの保護カバー１１、ファインダーカバー１３及び発光ダイオードの光を導くライトガイド２２、ＬＣＤ６１の表示窓２５等の外装体に設ける透明部材を、光透過性樹脂からなる透明な外装体に一体形成する技術」は、本願発明１の「該外装カバーに形成された前記窓枠に嵌め込められて窓となる窓部を設ける」技術手段としての「窓となる窓部を前記透明なインナーキャビネットに一体成形する」技術における「インナーキャビネット」を、単に「キャビネット」とした構成に対応するものといえる。
　さすれば、引用発明１のインナー前カバー２と後カバー３とからなり、合成樹脂の射出成形体であるモールドに対して、前記引用刊行物２に記載の前記「部品点数や組立工数を低減するために、透明な外装体専用の金型を使用することにより、レンズの保護カバー１１、ファインダーカバー１３及び発光ダイオードの光を導くライトガイド２２、ＬＣＤ６１の表示窓２５等の外装体に設ける透明部材を、透明な外装体に一体形成する技術」を適用することにより、前記相違点２に係る本願発明１の前記「窓となる窓部を前記透明なインナーキャビネットに一体成形する」構成とすることは、当業者が容易に想到することができることである。
　
　そして、本願発明１の奏する作用効果は、引用発明１及び引用刊行物２に記載された発明から予測できる範囲内のものであって、格別のものということができない。
　
（４）まとめ 
　以上のとおりであるから、本願発明１は、本願特許出願前に当業者が上記引用発明１及び引用刊行物２に記載された発明に基いて容易に発明をすることができたものである。
　
４　むすび 
　以上のとおり、請求項１に係る本願発明１は、本願特許出願前に当業者が上記引用発明１及び引用刊行物２に記載された発明に基いて容易に発明をすることができたものであり、本願発明１は特許法第２９条第２項の規定により特許を受けることができないから、他の請求項に係る発明について検討するまでもなく、本願は、拒絶されるべきである。
　よって、結論のとおり審決する。